(57)【要約】椎間円板の髄核を置換するための人工器官インプラントは、断面が円板状でそれぞれ前後径が横方向径よりも小さい、上側と下側の端部壁と、上側端部壁と下側端部壁の周縁を接続し、実質的に非圧縮性液体または柔軟なプラスチック材料で満たされた内室を包囲する砂時計形の側壁とを有する。人体の椎間円板全体を置換するための総プロテーゼは、中心キャビティを包囲する第２の生体適合性ポリマーからなる輪状コアと、輪状コアの上面と下面に固定され、第１の生体適合性ポリマーの弾性率より大きい弾性率を有する第２の生体適合性材料からなる移行板と、隣接する脊椎と接触するようになされ、かつそれぞれ上側および下側移行板に固定される上側および下側終板とを有する。【選択図】図１１
2007530093.tif 000002
【特許請求の範囲】
【請求項１】
椎間円板の髄核を置換する人工器官インプラントであって、
それぞれ円板状の断面と周縁と、前後方向径および横方向径を有する上側端壁と下側端壁であって、前記前後方向径が前記横方向径よりも大きい上側端壁と下側端壁と、
前記上側端壁と下側端壁の前記周縁を接続する砂時計形の側壁と、を備え、
前記上側端壁と前記下側端壁と前記側壁とは内室を包囲し、
前記内室は実質的に非圧縮性の液体または柔軟なプラスチック物質で満たされている人工器官インプラント。
【請求項２】
前記内室は生理食塩水で満たされることを特徴とする請求項１記載の人工器官インプラント。
【請求項３】
前記内室は生体適合性のオイルで満たされることを特徴とする請求項１記載の人工器官インプラント。
【請求項４】
前記内室は合成ヒアルロン酸／プロテオグリカン混合物で満たされることを特徴とする請求項１記載の人工器官インプラント。
【請求項５】
前記合成ヒアルロン酸／プロテオグリカン配合物は０Ｍｐａ乃至４Ｍｐａの範囲の弾性率を有することを特徴とする請求項４記載の人工器官インプラント。
【請求項６】
前記内室は０Ｍｐａ乃至１Ｍｐａの範囲の弾性率を有する柔軟な生体適合性の合成ポリマーで満たされることを特徴とする請求項１記載の人工器官インプラント。
【請求項７】
前記上側端壁と下側端壁と前記側壁とは生体適合性の合成ポリマーからなることを特徴とする請求項１記載の人工器官インプラント。
【請求項８】
前記生体適合性の合成ポリマーはＡ８０乃至Ｄ６５の範囲のデュロメータ硬度を有することを特徴とする請求項７記載の人工器官インプラント。
【請求項９】
前記生体適合性の合成ポリマーはポリカーボネイト−ポリウレタン混合物であることを特徴とする請求項７記載の人工器官インプラント。
【請求項１０】
前記ポリカーボネイト−ポリウレタン混合物はＡ８０乃至Ｄ６５の範囲のデュロメータ硬度を有することを特徴とする請求項９記載の人工器官インプラント。
【請求項１１】
前記両端壁の厚さは前記側壁の厚さよりも大きいことを特徴とする請求項１記載の人工器官インプラント。
【請求項１２】
前記両端壁の前記生体適合性ポリマーは前記側壁の生体適合性ポリマーのデュロメータ硬度よりも大きいデュロメータ硬度を有することを特徴とする請求項１記載の人工器官インプラント。
【請求項１３】
前記上側端壁は外側に向かって凸の湾曲を有していることを特徴とする請求項１記載の人工器官インプラント。
【請求項１４】
前記上側端壁の前記外側に向かって凸の湾曲は、それが接触する椎体終板の湾曲と合致することを特徴とする請求項１３記載の人工器官インプラント。
【請求項１５】
前記上側端壁の前記凸湾曲は前記周縁の平面から約１ｍｍ乃至約３ｍｍの距離を隔てる頂点を有することを特徴とする請求項１３記載の人工器官インプラント。
【請求項１６】
前記上側端壁は外側に向かって凸の湾曲を有し、前記生体適合性の合成ポリマーは、使用時に前記外側に向かって凸の湾曲を維持するのに十分な硬度を有することを特徴とする請求項７記載の人工器官インプラント。
【請求項１７】
前記上側端壁は外側に向かって凸の湾曲を有し、かつ使用時に前記外側に向かって凸の湾曲を維持するのに十分な厚さを有することを特徴とする請求項７記載の人工器官インプラント。
【請求項１８】
前記下側端壁は外側に向かって凸の湾曲を有していることを特徴とする請求項１記載の人工器官インプラント。
【請求項１９】
前記下側端壁の前記外側に向かって凸の湾曲は、それが接触する椎体終板の湾曲と合致することを特徴とする請求項１８記載の人工器官インプラント。
【請求項２０】
前記下側端壁の前記凸湾曲は前記周縁の平面から約０．５ｍｍ乃至約２．５ｍｍの距離を隔てる頂点を有することを特徴とする請求項１８記載の人工器官インプラント。
【請求項２１】
前記上側端壁は外側に向かって凸の湾曲を有し、前記生体適合性の合成ポリマーは、使用時に前記外側に向かって凸の湾曲を維持するのに十分な硬度を有することを特徴とする請求項１３記載の人工器官インプラント。
【請求項２２】
前記上側端壁は外側に向かって凸の湾曲を有し、かつ使用時に前記外側に向かって凸の湾曲を維持するのに十分な厚さを有することを特徴とする請求項１３記載の人工器官インプラント。
【請求項２３】
前記側壁は前記端壁よりも柔軟な合成ポリマーからなることを特徴とする請求項７記載の人工器官インプラント。
【請求項２４】
前記側壁は前記端壁よりも薄い材料からなることを特徴とする請求項７記載の人工器官インプラント。
【請求項２５】
前記両端壁のそれぞれは、それと接触すべき椎体終板の面積の約３０％乃至約６０％の面積を有することを特徴とする請求項１記載の人工器官インプラント。
【請求項２６】
前記内室は、前記上側端壁の横断面積の約２０％乃至８０％の最小横断面積を有することを特徴とする請求項１記載の人工器官インプラント。
【請求項２７】
前記内室は、前記下側端壁の横断面積の約２０％乃至８０％の最小横断面積を有することを特徴とする請求項１記載の人工器官インプラント。
【請求項２８】
前記インプラントに取り付ける少なくとも１つの安定化コードを更に有することを特徴とする請求項１記載の人工器官インプラント。
【請求項２９】
前記安定化コードは前記インプラントの前記側壁に取り付けられることを特徴とする請求項２８記載の人工器官インプラント。
【請求項３０】
前記砂時計形の側壁はくびれ領域を有し、前記安定化コードは前記砂時計形の側壁の前記くびれ領域に取り付けられることを特徴とする請求項２８記載の人工器官インプラント。
【請求項３１】
前記人工器官インプラントは前記インプラントの径の対向する端に取り付けられる一対の安定化コードを更に有することを特徴とする請求項２８記載の人工器官インプラント。
【請求項３２】
前記人工器官インプラントは前記側壁の対向する側部の前記くびれ領域に取り付けられる一対の前記コードを有することを特徴とする請求項３０記載の人工器官インプラント。
【請求項３３】
人体の椎間円板全体を置換する総プロテーゼにおいて、
中心キャビティを包囲する輪状部を含むポリマーコアであって、該輪状部は上面、下面、側面を有し、第１の生体適合性材料からなり、かつ天然の椎間円板の線維輪を近似する形状および大きさを有し、該第１の生体適合性材料は天然の人体椎間円板の線維輪の弾性率に近い弾性率を有するエラストマーであるポリマーコアと、
該輪状部の上面および下面にそれぞれ取り付けられる上側および下側移行板であって、前記第１の生体適合ポリマーのデュロメータ硬度よりも大きいデュロメータ硬度を有する第２の生体適合性材料からなる上側および下側移行板と、
隣接する脊椎に接触するようになされ、かつそれぞれ上側移行板と下側移行板に取り付けられた上側および下側終板と、を備える総プロテーゼ。
【請求項３４】
前記第１の生体適合性材料は第１のエラストマー合成ポリマーであることを特徴とする請求項３３記載の総プロテーゼ。
【請求項３５】
前記第１のエラストマー合成ポリマーは第１のポリカーボネイト−熱可塑性ポリウレタン混合物であることを特徴とする請求項３４記載の総プロテーゼ。
【請求項３６】
前記第１のエラストマー合成ポリマーはおよそショアA７０乃至およそショアＡ９０のデュロメータ硬度を有することを特徴とする請求項３４記載の総プロテーゼ。
【請求項３７】
前記第１のエラストマー合成ポリマーはおよそ３乃至１６メガパスカルの範囲の弾性率を有することを特徴とする請求項３４記載の総プロテーゼ。
【請求項３８】
前記第２の生体適合材料は第２のエラストマー合成ポリマーであることを特徴とする請求項３３記載の総プロテーゼ。
【請求項３９】
前記第２のエラストマー合成ポリマーは第２のポリカーボネイト−熱可塑性ポリウレタン混合物であることを特徴とする請求項３８記載の総プロテーゼ。
【請求項４０】
前記第２のエラストマー合成ポリマーはおよそショアA１００乃至およそショアＤ６５のデュロメータ硬度を有することを特徴とする請求項３８記載の総プロテーゼ。
【請求項４１】
前記中心キャビティは砂時計形状であることを特徴とする請求項３３記載の総プロテーゼ
【請求項４２】
前記中心キャビティは前記ポリマーコアの体積の約２０％乃至約５０％の体積を有することを特徴とする請求項３３記載の総プロテーゼ。
【請求項４３】
前記輪状部は前記ポリマーコアの体積の約５０％乃至約８０％の体積を有することを特徴とする請求項３３記載の総プロテーゼ。
【請求項４４】
前記キャビティは非圧縮性液体で満たされることを特徴とする請求項３３記載の総プロテーゼ。
【請求項４５】
前記キャビティはおよそ１乃至４メガパスカルの弾性率を有する生体適合性ポリマーであることを特徴とする請求項３３記載の総プロテーゼ。
【請求項４６】
前記移行板の各々は輪状部の前記上側および下側面にモールドされることを特徴とする請求項３３記載の総プロテーゼ。
【請求項４７】
前記移行板の各々はドーム状の外側面を有することを特徴とする請求項３３記載の総プロテーゼ。
【請求項４８】
前記移行板の厚さ寸法は後縁でおよそ１乃至３ｍｍであることを特徴とする請求項３３記載の総プロテーゼ。
【請求項４９】
前記移行板の厚さ寸法は前縁でおよそ４乃至７ｍｍであることを特徴とする請求項３３記載の全プロテーゼ。
【請求項５０】
前記終板の各々は前記移行板のドーム状外側面と接触する形状になされた内側面を有することを特徴とする請求項３３記載の全プロテーゼ。
【請求項５１】
前記終板の各々は移行板の後縁を受容する溝を形成するような形状になされた突起部を後縁に有することを特徴とする請求項３３記載の全プロテーゼ。
【請求項５２】
前記終板の各々は頂点を有するドーム形状であることを特徴とする請求項３３記載の総プロテーゼ。
【請求項５３】
前記上側終板の前記ドーム形状はおよそ１．５乃至２．５ｍｍの最大湾曲深さを有することを特徴とする請求項５２記載の全プロテーゼ。
【請求項５４】
前記ドーム形状の湾曲の前期最大深さは前記終板の前縁から前記終板の前後方向径の約６０％だけ隔たった位置にあることを特徴とする請求項５３記載の総プロテーゼ。
【請求項５５】
前記下側終板の前記ドーム形状はおよそ０．６乃至２．０ｍｍの最大湾曲深さを有することを特徴とする請求項５２記載の全プロテーゼ。
【請求項５６】
前記ドーム形状の湾曲の前期最大深さは前記終板の前縁から前記終板の前後方向径の約６０％だけ隔たった位置にあることを特徴とする請求項５５記載の総プロテーゼ。
【請求項５７】
前記終板のうちの少なくとも１つの外側面には骨の内成長のための表面テクスチュアが設けられていることを特徴とする請求項３３記載の総プロテーゼ。
【請求項５８】
前記終板のうちの少なくとも１つに、前記外側面から立ち上がり前記外側面の横中心線に沿って前記前縁から遠ざかる方向に延在するフィンを設けたことを特徴とする請求項５７記載の総プロテーゼ。
【請求項５９】
前記終板のうちの少なくとも１つは主終板と前側付加板からなることを特徴とする請求項３３記載の総プロテーゼ。
【請求項６０】
前記前側付加板はその外側面から立ち上がり前記主終板の前記フィンと相互作用するようになされたフィンを有することを特徴とする請求項５９記載の総プロテーゼ。
【請求項６１】
前記前側付加板は前記移行板の前縁と接触するようになされ前記前側付加板にほぼ垂直に延在する壁を有することを特徴とする請求項５９記載の総プロテーゼ。
【請求項６２】
前記主終板と前記移行板と前記前側付加板とは、それぞれその側縁にスリーブを備え、前記スリーブは前記スリーブと協働して前記主終板と前記移行板と前記前側付加板とを共に締結するネジを受容することを特徴とする請求項５９記載の総プロテーゼ。
【請求項６３】
前記主終板と前記移行板と前記前側付加板とは、それぞれその側縁に付属部を備え、該付属部は前記主終板と前記移行板と前記前側付加板とを共に締結する締結ケーブルを受容することを特徴とする請求項５９記載の総プロテーゼ。
【請求項６４】
前記移行板は、前記移行板の後縁から離れた前方壁を有しかつ前記前方壁から前記後縁まで延在する凹部を有することを特徴とする請求項３３記載のプロテーゼ。
【請求項６５】
前記前方壁はほぼ真っ直ぐで、前記移行板の前後方向径をほぼ垂直に前記移行板を横切って延在することを特徴とする請求項６４記載の総プロテーゼ。
【請求項６６】
前記前方壁は前記移行板の前記後縁から、前記移行板の前後方向径のおよそ４分の１乃至２分の１の距離だけ隔てられていることを特徴とする請求項６４記載の総プロテーゼ。
【請求項６７】
前記移行板は、前記終板の後縁から離れた前方壁を有しかつ前記前方壁から前記後縁まで延在する突起部を有し、前記突起部は前記移行板の前記凹部に適合することを特徴とする請求項６４記載の総プロテーゼ。
【請求項６８】
前記前方壁はほぼ真っ直ぐで、前記終板の前後方向径をほぼ垂直に横切って延在することを特徴とする請求項６４記載の総プロテーゼ。
【請求項６９】
前記前方壁は前記終板の前記後縁から、前記終板の前後方向径のおよそ４分の１乃至２分の１の距離だけ隔てられていることを特徴とする請求項６４記載の総プロテーゼ。
【請求項７０】
前記終板の少なくとも１つは、前記終板の周縁から内側方向に延在し前記移行板の少なくとも１つの対応する凹部に嵌合して前記終板を前記移行板に固定するようになされた少なくとも１つの弾性付属部を有することを特徴とする請求項３３記載の総プロテーゼ。
【請求項７１】
前記少なくとも１つの終板は複数の前記弾性付属部を有することを特徴とする請求項７０記載の総プロテーゼ。
【請求項７２】
前記弾性付属部は締結ケーブルを受容する溝を有することを特徴とする請求項７１記載の総プロテーゼ。
【請求項７３】
前記移行板の少なくとも１つは外側面と内側面と前記外側面および前記内側面の間に延在する周縁面とを有し、前記周縁面に前記終板の前記弾性付属部と係合するための少なくとも１つの前記凹部が設けられていることを特徴とする請求項７１記載の総プロテーゼ。
【請求項７４】
前記移行板の前記周縁壁には、前記付属部を受容するための周縁溝が設けられていることを特徴とする請求項７２記載の総プロテーゼ。
【請求項７５】
前記終板の各々はそれが接触するようになされた椎体終板のおよそ３０％乃至１００％の範囲の面積を有することを特徴とする請求項３３記載の総プロテーゼ。
【請求項７６】
前記終板の各々はそれが接触するようになされた椎体終板のおよそ３０％乃至８０％の範囲の面積を有することを特徴とする請求項３３記載の総プロテーゼ。
【発明の詳細な説明】
【技術分野】
【０００１】
−他の出願との関係−
本願は２００３年７月１７日出願の米国特許出願第６０／４８７，６０５号、２００３年１１月２６日出願の米国特許出願第６０／５２４，９０２号および２００４年２月１８日出願の米国特許第１０／７７９，８７３号に基づく優先権を主張するものであり、これら出願は引用により本願に援用する。
【０００２】
本発明は人体脊椎の構造を置換するプロテーゼ（prosthesis: 人工器官）に関するものであり、より詳しくは椎間板および／または髄核を置換するプロテーゼに関するものである。
【背景技術】
【０００３】
腰部の痛みはごくありふれた疾患であるが、様々な病的症状の原因となり、また仕事の時間を奪う元ともなる。腰痛の罹患率は非常に高く、場合によっては全人口のおよそ８０％に及ぶ。大部分の患者は苦痛となる症状を時折感じるのみで完全に回復するが、患者のおよそ１０％は、様々な医療を施しても慢性的に続き、生活に支障を生じさせる腰痛に悩んでいる。
【０００４】
慢性的で生活に支障を生じさせる腰痛のもっともよくある原因は変性円板疾患（ＤＤＤ：Degenerated Disk Disease）である。非外科的治療の効果の見られない慢性的で生活に支障を生じさせる腰痛に対しては、脊椎固定術が効果的な治療方法であった。米国において、毎年およそ３５万件の脊椎固定術が行われていると推定されている。脊椎固定術は（すべての脊椎固定術の５１％）は、ＤＤＤの様々な段階（内的な椎間板ずれ（internal disk derangement）、椎間板ヘルニア、椎間板性の不安定（discogenic instability）、および脊椎狭窄）に起因する慢性的な腰痛に対して指示されることとが最も一般的である。近年になって初めて、椎間板に起因する痛みの治療として、椎間円板の置換や髄核の置換の新たな技法が誕生した。
【０００５】
脊椎固定術は、ＤＤＤにより引き起こされる腰痛の標準的な外科治療であるが、これには以下のような問題がある。
【０００６】
ａ）  固定術は成功するとは限らない。様々な新しい技法や器具が開発されているにもかかわらず、固定術の成功率はほとんど一定で、平均８５％に留まる。更に、脊椎固定術の予後の臨床的成功率は、過去２、３０年で平均７５％に留まる。
【０００７】
ｂ）  脊椎固定術の術後の療養期間は平均１５ヶ月である。
【０００８】
ｃ）  脊椎固定術は固定を施した脊椎運動分節の運動および衝撃吸収機能を失わせる。このことが、固定（fusion）に隣接した脊椎運動分節の変性を加速する原因となっている。脊椎固定術と同等以上の結果をもたらすために、以下に詳細に説明するように様々なタイプの椎間板プロテーゼが開発されており、いくつかのものは人体において臨床的に試みられている。
【０００９】
−椎間円板の解剖学的構造と生体力学
椎間円板は複雑な関節であり、３つの明確に区別される部位を有する、即ち椎体終板と髄核と線維輪である。椎間円板は重量を支持する関節であり、１つの椎体から別の椎体に荷重を伝達する。椎間円板は脊柱において主要な安定化構造であり、同時に３つの直交面内の運動を許容する。矢状面における運動（屈曲／伸展）が最大である（８°乃至１５°）。冠状面内の運動（横曲げ）および水平面における運動（ねじり）はそれよりも小さい。椎間円板はその粘弾性により衝撃吸収機能も有する。
【００１０】
椎間円板の荷重支持機能は、体液で満たされた非圧縮性の髄核を介しての「フープ応力（hoop stress）」によって圧縮負荷を椎体終板から線維輪へと伝達することにより果たされる。その非圧縮性により変形しない髄核が、この荷重伝達メカニズムの鍵であり、椎間円板の高さ維持の鍵でもある。髄核は運動時の回転の中心として機能する。この回転中心は固定されたものではなく、瞬間的な回転中心である。屈曲時には後方に移動し、伸展時には前方に移動する。髄核は通常椎間円板断面積の２０％乃至４０％を占め、これは年齢が進むにつれて、また変性状態になると拡大する。髄核は大まかに配置されたII型コラーゲンとプロテオグリカンからなる。若く健康な椎間円板の髄核は重量にしておよそ８０％の水を含むが、水含有量は年齢が進むにつれて、また変性と共に減少する。線維輪を介しての「フープ応力」により髄核が荷重伝達媒体として機能するためには、このように高い水含有量を維持することが必須である。正常な椎間円板の髄核は球形でも卵形でもない。解剖学的断面、ＭＲＩおよび椎間板造影は、核キャビティ（nucleus cavity）が２つの室からなり（上室と下室）、これら２室は前後方向、内側外側方向の両方において中間の「砂時計」形の首部により連結されていることを、はっきりと示している（図４参照）。
【００１１】
線維輪は椎間円板の重量支持および安定化機能において最も重要な構造である。線維輪は８層乃至１２層の積層されたコラーゲン線維からなり、コラーゲンの大部分はI型であって、終板に対して＋／−３０°の角度をなしている。線維輪の厚さは円板内の部位の違いにより変化する。前側でより厚くなり、後側でより薄くなる。線維輪の断面積は、椎体終板に近い線維輪の上端および下端よりも、中間の高さにおいてより大きくなっており、「亜鈴（ダンベル）」あるいは「砂時計」形の断面プロファイルを有するキャビティを形成している（図４参照）。線維輪の壁はその中間高さ部において椎体終板付近よりも厚くなっており、特に椎間円板の前側領域において厚くなっている。従って、髄核は多くの解剖学書にそう描かれ、また椎間円板プロテーゼや髄核プロテーゼのほとんどの従来設計がそうであるような球形あるいは卵形ではない。髄核の「亜鈴」あるいは「砂時計」形状と、それと相補的な線維輪の形状との関係は、おそらく椎間円板の応力伝達および運動パターンにおいて重要な役割を演じている。正常な椎間円板の圧縮曲げ時において、線維輪は外側のみならず内側にも膨出する。変性した円板では、髄核の「砂時計」構造と、それと相補的な線維輪のキャビティとの関係は消失する。
【００１２】
椎体終板との接触面における髄核の比較的大きな断面積は、椎体終板の損傷を防止する広い応力分布をもたらすために必須のものである。椎間円板と椎体終板との間の接触面積および負荷加重および骨ミネラル濃度は、椎体終板の損傷（沈下）に関する鍵となる要素である。任意の患者において、負荷荷重（体重）と骨ミネラル濃度は一定であるが、接触面積はプロテーゼの設計によって変化する。
【００１３】
線維輪および髄核の上述の特徴的な解剖学的構成により、屈曲時において、線維輪の前柱は圧縮−屈曲荷重の下で外側および内側に曲がり、線維輪の後柱はあまり外側に膨出することなく伸張される。核キャビティ内に球形または卵形のプロテーゼが設置されていると、全く異なった振る舞いをする。圧縮時に、応力は等方性の液体または物質で満たされた球形または卵形のキャビティの周りに均等に分布する。これにより、終板とプロテーゼとの間の小さな接触面における応力集中が生ずる。圧縮−屈曲時に、線維輪の前柱はプロテーゼを後側に押す力を生じさせ、後側壁の過度の膨出あるいはプロテーゼの突出を引き起こす。髄核の「砂時計」形状およびそれと相補的な線維輪の形状は、脊椎運動分節の運動の全域において髄核を椎間円板内で安定化させることを助ける。
【００１４】
−椎体終板−
椎体終板は濃縮された海綿骨の非常に薄い層（骨性終板）と軟骨層（軟骨終板）とからなる。椎体終板は重量を支持する、椎体と椎間円板との間の移行構造である。終板は椎骨と椎間円板間での液体と栄養分の重要な通路である。解剖学者、生体力学者、臨床家、外科医などの科学者達は、椎体終板の形態学、即ち形状と外形、およびその臨床的な意義について関心を持っていない。従って、終板やそれに関連する構造の生体力学や臨床的な観点からの重要性は、あまり理解されていない。
【００１５】
椎体終板および周辺骨の異常な変化は、変性円板疾患において頻繁に見られる。椎体終板の実際の損傷（圧縮／破裂骨折）は外傷において見られる。骨移植片や椎間固定器具や椎間円板プロテーゼの終板を介しての椎骨への沈下は、腰仙椎の再建手術において度々報告される問題である。沈下、硬化症、骨髄浮腫、外形変化といった問題は、椎骨と椎間円板間の異常な応力パターンによるものである。
−椎間円板プロテーゼ−
【００１６】
人工椎間円板プロテーゼは大きく２つのタイプに分けられる、即ち総円板プロテーゼ（total disc prosthesis）と核プロテーゼ（nucleus prosthesis）である。総円板プロテーゼは椎間円板全体を置換するものであるのに対し、核プロテーゼは髄核のみを置換する。
【００１７】
各プロテーゼは変性した椎間円板の生体力学を復元するために、椎間円板の各部分のみを置換するように設計されている。核プロテーゼにはいくつかの異なるタイプの設計がある。そのいくつかは人体に対して臨床的なテストが行われており、重大な問題が見つかっている。即ち例えば、突出および／または移動および／または沈下および／または椎体終板の好ましくない変化などである。核プロテーゼには外科的にインプラントするために線維輪の多くの部分の切除を必要とするものもある。これは更なる椎間円板の不安定化を引き起こす。これは核プロテーゼが特に線維輪の機能回復を目的として設計されているわけではないからである。ほとんどの核プロテーゼは、髄核の損傷が全くないか最小限の損傷しかない椎間円板変性の初期段階のものに指示されるものである。現在の核プロテーゼ設計は、核キャビティ内の非圧縮性の静水圧の生体力学的効果を再現するために、３つの異なるアプローチを用いている。１つのアプローチは１つ以上のキャビティ（バルーンやブラダ（嚢袋）など）を用いるものであり、該キャビティを健康な組織への損傷を最小限にする外科的手法を用いて椎間円板内に設置した後、流体や気体などの注入可能な物質で満たして膨張させる。別のアプローチでは、脱水したあるいは部分的に脱水した親水性の物質をバルーン即ち強靱なジャケットに入れて、開放外科処置（open surgical exposure）により髄核キャビティ内にインプラントし、そこで水分を供給する。また別のアプローチでは、重合可能な生体材料を髄核キャビティ内に注入し、そこで適切な形状に重合させる。
【００１８】
しかしこれらの従来技術設計は問題がある。球形または卵形の設計では、プロテーゼと椎体終板との間の接触面積が比較的小さくなりがちであり、それにより応力集中および／または沈下および／または終板反応（endplate reaction）を生じさせる。球形バルーンプロテーゼは屈曲時に椎間円板壁の後方膨出を引き起こす場合があり、それにより後側線維輪に異常な応力を発生させ、突出や移動を起こしやすくする可能性がある。従って、これらの設計は、線維輪に損傷が全くないか、あるいは最小限の線維輪損傷しかないような椎間円板に対してのみ指示される。
【００１９】
椎間円板プロテーゼの別の設計は「カプセル」プロテーゼである。このようなプロテーゼは多少の線維輪の損傷を含む広い範囲の椎間円板変性に対して指示される。しかし、このタイプの器具をインプラントする外科的な処置は線維輪の更なる損傷を生じさせ、また椎間円板内における安定性がよくない。更に、このようなプロテーゼは天然の椎間円板の生体力学を復元しない。このようなプロテーゼは十分な接触面積を持たず、終板内で沈下や術後の変化を引き起こし、回転中心や瞬間的な回転軸が正常な場合と極めて異なっているために、生理に合わない運動パターンを生じさせる傾向がある。
【００２０】
流体、気体または生体材料を膨張可能な核プロテーゼに導入した場合には別の問題が起こる。このような物質は本来的に等方的に機能する。ある一点に加わった圧力は該物質の他の部分にも等しく作用する。一般にこの装置を膨張させると、椎体終板に接触するのは小さな表面積のみであり、そのため応力集中が起こる。更に、このような装置の壁は後輪裂（posterior annular fissure）のような抵抗の最も小さい所に向かって膨出する傾向を持つ。
【００２１】
従って、これまで入手可能なプロテーゼの短所を持たない椎間円板プロテーゼが、引き続き必要とされている。
【発明の開示】
【００２２】
椎間円板の髄核を置換するための人工器官インプラントは、
断面が円板状でそれぞれ前後方向径が横方向径よりも小さい、上側と下側の端部壁と、
上側端部壁と下側端部壁の周縁を接続し、実質的に非圧縮性液体または柔軟なプラスチック材料で満たされた内室を包囲する砂時計形の側壁とを有する。
【００２３】
人体の椎間円板全体を置換するための総プロテーゼは、
中心キャビティを包囲し、上面と下面と側面とを有し、第１の生体適合性材料からなり、天然の椎間円板の髄核を近似する形状および大きさを有する輪状コアであって、該第１の生体適合性材料は天然の人体椎間円板の線維輪の弾性率に近い弾性率を有するエラストマーである輪状コアと、
輪状コアの上面および下面にそれぞれ固定される上側および下側移行板であって、第１の生体適合性ポリマーよりも大きなデュロメーター硬度を有する第２の生体適合性材料からなる上側および下側移行板と、
隣接する脊椎と接触するようになされ、かつそれぞれ上側および下側移行板に固定される上側および下側終板と、を有する。
【００２４】
このように、本発明の１つの目的は、人体の椎間円板を置換するプロテーゼを提供することである。
【００２５】
更なる目的は、人体の椎間板を置換するプロテーゼであって、人体の椎間円板の構造と機能に正確に対応するプロテーゼを提供することである。
【００２６】
また別の目的は、髄核を置換する構造を含む、人体の椎間円板を置換するプロテーゼを提供することである。
【００２７】
また別の目的は、髄核を置換する砂時計形の構造を含む、人体の椎間円板を置換するプロテーゼを提供することである。
【００２８】
また別の目的は、人体の椎間円板の髄核を置換するプロテーゼを提供することである。
【００２９】
また別の目的は、人体椎間円板の髄核を置換するプロテーゼであって、天然の髄核を模倣する形状と機能を有するプロテーゼを提供することである。
【００３０】
また別の目的は、人体椎間円板の髄核を置換するプロテーゼであって、天然の髄核に似た砂時計形の形状を有するプロテーゼを提供することである。
【００３１】
また別の目的は、人体椎間円板の髄核を置換するプロテーゼであって、健康な組織の損傷を最小限にする外科的技法によりインプラントすることのできるプロテーゼを提供することである。
【００３２】
また別の目的は、人体椎間円板の髄核を置換するプロテーゼであって、健康な組織の損傷を最小限にする外科的技法により挿入するために折り畳み可能であり、インプラント後に膨張可能なプロテーゼを提供することである。
【００３３】
本発明のその他の目的は以下の本発明の説明から明らかになるであろう。
【発明を実施するための最良の形態】
【００３４】
本発明は人体の椎間板の髄核を置換するプロテーゼ、および椎間板全体を置換するプロテーゼを含む。
【００３５】
図１Ａ乃至１Ｄは、２つの椎骨１００の間に位置する天然の椎間円板１２０を、断面において示している。図１Ａは脊椎の脊柱が中立的な位置にあるときの椎間円板１２０の構成を示す。図１Ｂは椎間円板の拡大断面図であり、天然の線維輪１１６に取り巻かれた天然の髄核１２２を示している。天然の線維輪の内側に張り出した内壁１２４によって形成される、天然の髄核の砂時計形状を見て取ることができる。図１Ｃは脊椎が屈曲し、線維輪１１６の前縁を圧縮し、内壁１２４を内方に張り出させ、線維輪１１６の後縁が伸張したときの椎間板の構成を示している。その結果、図に示されるように、回転中心は後方に移動する。逆に図１Ｄに示すように脊椎が伸展しているときには、線維輪１１６の後縁が圧縮され、前縁が伸張されて、回転中心は前方に移動する。
【００３６】
線維輪１１６の内壁の形状および線維輪内の髄核の砂時計形状は、図４に示す天然の椎間板の椎間板造影画像に示されている。この画像では適切な造影剤を用いてＸ線により構造を可視化している。
−髄核プロテーゼ−
【００３７】
本発明の髄核プロテーゼは、病変のあるあるいは変性した天然の髄核を除去した後にそれを置換するための、および椎間円板の最小限ないしある程度損傷した線維輪を部分的に置換するための体内プロテーゼである。この装置は天然の軟骨椎体終板と関節結合するよう設計されている。装置は薄い可撓性の壁を有し、該壁の形状は天然の髄核の形状を模倣し、かつ液体や気体または柔軟な合成ポリマーを満たすことのできる中空キャビティを取り囲み、天然の髄核の粘弾性的な動作を模倣するようになされている。この装置は、膨張させると所定の形状と外形を有する膨張可能なバルーンと考えることができる。装置は３つの要素を含む、即ち２つの終板部および「亜鈴」または「砂時計」形状の中間部である。装置は完全に膨張させた状態でインプラントしてもよいし、折り畳んだ（つぶれた）状態でインプラントし、インプラント後に膨張させてもよい。２つの横安定化コード（紐）を設けてもよい。これらのコードの１つは膨張のための核プロテーゼキャビティへのアクセス路として設けてもよい。
【００３８】
髄核プロテーゼを完全に膨張させると、終板部（上側および下側）は概ね同等の形状となり、それぞれ椎骨側で凸となるドーム形状を有し、接触するホスト椎体終板に倣うように構成されている。下側終板の最大深さの平均は約２．０ｍｍであり、上側終板の最大深さの平均はおよそ約１．２ｍｍ（一般的に０．６ｍｍ乃至１．５ｍｍ）である。このプロテーゼの終板部は典型的には中間の側壁よりも厚い層またはデュロメータ硬度のより高い生体材料からなる。また、終板を繊維補強してもよい。好適には終板部は中間部の側壁よりも硬くしプロテーゼを膨張させたときにドーム形の外形を所定の程度維持するようにする。断面あるいは平面図において、髄核プロテーゼの終板は「ディスク（円板）状の」形状を示す。終板ディスクの接触領域、即ち椎体終板との接触領域の大きさは、典型的には椎体終板断面積の約３０％乃至６０％である。個々の患者におけるこの装置の終板部の接触面積は、ホスト椎骨の大きさと核／円板の変性程度によって決められる。一般的に、変性のひどい椎間円板ほど大きくする。従来の髄核を置換する球形または卵形のプロテーゼとは異なり、本発明の髄核プロテーゼは幅広い範囲の終板接触面積を提供することができ、椎間板変性の様々な段階に対応できる。椎間円板の変性の程度が進むにつれて核キャビティが大きくなり、線維輪の重量支持能力は低下する。核キャビティ内にプロテーゼを設置したとき、プロテーゼ終板の凸部の最大深さは椎体終板の前後方向（A-P：antero-posterior）寸法において後側６０％の位置にある。ドームの頂上即ち頂点は中−横方向（M-L: medial-lateral）寸法の中央に位置する。
【００３９】
中間部は砂時計形とし、線維輪の正常な解剖学的構造に適応し、かつ曲げに際して側壁の過度の張り出しを防止するようにする。砂時計部の壁厚は壁の横部の前側と後側で変化させて所望の形状と外形とすることができる。中間部のこの構成は、運動に際して正常な椎間円板の場合と同様に線維輪が内方に張り出すことを許容する。中間部のこの外形はまた、圧縮荷重の下での屈曲−伸展および横曲げ時に、プロテーゼの砂時計形の外形と線維輪（中央部でより大きい厚みを有する）の相補的な形状（花瓶形とも表現される）とが組み合うことにより、核プロテーゼを安定化させる。装置はキャビティを膨張させるために取り付けられたバルブ機構を有する。バルブからの延長チューブを、線維輪壁を介して円板の外部へと導いてアクセスを容易にしてもよい。片側に１つずつ、２つのチューブを用いてもよい。これらのチューブは、外側端部を椎間円板の外壁に固定した際に、プロテーゼを椎間円板内で安定化する構造として機能させることができる。
【００４０】
終板部の形状および「砂時計」形の中間部は、好適には厚さおよび／または硬度の異なる弾性ポリマー、例えばポリカーボネイト−熱可塑性ポリウレタン混合物などで構成してよい。
【００４１】
この装置は好適には折り畳み可能で、チューブ状に丸めて後−横線維輪の鈍的な孔（blunt hole）を通して挿入することができる。核キャビティ内にインプラントした後、流体即ち生体適合性のポリマーによって膨張させ、所期の形状および外形とする。所期の形状および外形は、装置の異なる部位において様々な厚さ、硬度あるいは剛性を有する生体適合性のポリマーによって装置をモールドすることによって実現する。圧縮曲げおよび軸方向荷重の下での装置の変形特性は、装置の様々な部位で剛性を変えることにより制御することができる。
【００４２】
髄核プロテーゼはシリアルカニューレ（serial cannulas）を介した、あるいは健康な組織の損傷を最小限に抑えた外科的な手法による径皮的な方法を用いてインプラントすることができる。椎間円板の後−横部を介して挿入される径を次第に大きくした一連のプローブおよびカニューレによって輪孔を拡張した後に、核キャビティ内にバイポータルスコープ（bi-portal scope）を導入してもよい。上側および下側核キャビティから変性／損傷した物質を取り除き、線維輪の中間部はそのままとする。髄核プロテーゼ装置をカニューレを介して導入し、その後生体適合性の流体、即ち適切な生体適合性粘弾性ポリマー物質によって膨張させる。１つ以上の非吸収性の保持縫合線、コード、チューブなどにより髄核プロテーゼを更に安定化してもよい。これらを装置に取り付け、かつ椎間円板外部に取り出して、椎間円板外部の例えば骨や適切な軟組織などの構造に留める。好適にはこのような縫合線を髄核プロテーゼの各側に１本ずつで２本用いる。このような安定化要素の１つ以上を、それを介して髄核プロテーゼを膨張させるチューブとすることもできる。
【００４３】
髄核プロテーゼの好適な実施形態は、残存する天然の線維輪と髄核プロテーゼによって構成される椎間円板であれ、椎間板全体を置換する人工線維輪によって構成される椎間円板であれ、椎間円板全体をできる限り自然に機能させるように設計されている。
【００４４】
従って、本発明の髄核プロテーゼは、それが完全に膨張せられたときに、天然の髄核の形状および外形に合う形状および外形を有するように設計されている。これはプロテーゼの異なる部位を異なる粘弾性を有するように構成することによって実現される。例えば、以下により詳細に説明するように、プロテーゼの異なる領域を、装置の異なる部位、例えば壁の異なる部分のための異なる厚さまたは硬度の物質でモールドすることができる。
【００４５】
髄核プロテーゼの頂部および底部板は、好適にはそれらが接触する椎体終板の外形にできる限り忠実に倣う外形とする。そのように設計することにより、髄核プロテーゼと椎体終板との間の接触面積を可能な限りで最大とすることができ、それによって界面における応力集中を最小化し、プロテーゼの沈下を最大限に防止する。
【００４６】
終板は横断面において円盤状の形状であり、好適にはそれが接触する脊椎面と一致する形状および外形を有するようにモールドする。特に、好適には接合相手の椎体終板に合うように、様々なサイズの髄核プロテーゼの終板を準備する。プロテーゼ終板の典型的なサイズは、接合相手の椎体終板の断面積の３０乃至６０％とである。しかし外科的に修復された椎間円板内で十分な生体力学特性を実現するために必要で有れば、それよりも大きくしてもよい。より大きなサイズのプロテーゼ終板は、核キャビティがより大きくかつ線維輪の損傷がより大きい、より進行した椎間円板変性に対して指示される。このような場合、損傷したおよび／または変性した線維輪の重量支持能力は低下しているので、椎体終板の破損を防止するために椎体終板とプロテーゼ終板との間の接触面積を相対的により大きくする必要がある。
【００４７】
好適には、髄核プロテーゼの終板は終板を連結する壁よりも高い剛性をもたせる。これはたとえば、厚みをより厚くすることにより、より硬いプラスチック材料、即ちより大きなデュロメータ硬度を有する材料を用いることにより、あるいは繊維で補強することなどにより実現する。より好適には、プロテーゼ終板に、圧縮負荷あるいは圧縮−曲げ負荷が加わった際にプロテーゼと椎体終板の界面の応力分布を一様にするのに十分な剛性をもたせる。
【００４８】
好適には、各髄核プロテーゼ終板は接合相手の椎体終板の対応する外形に適合する外形を有する。典型的には髄核プロテーゼ終板の椎体終板へ向かう凸形状の深さは、上側終板で平均１．２ｍｍ（約０．７ｍｍ乃至約１．５ｍｍの範囲）、下側終板で平均２．０ｍｍ（約１．５ｍｍ乃至約２．５ｍｍの範囲）である。凸形状の最大深部はおよそ左右寸法の中央、かつ前縁から後方に向かって前後方向寸法の約６０％の所に位置する。熟練した者であれば理解するように、特定のプロテーゼの特定の寸法は、プロテーゼを用いる患者の椎間板に最もよく適合するように、適宜変更される。
【００４９】
髄核プロテーゼの中間部は、正常な椎間円板の生体力学をできる限り忠実に復元するように設計された、特徴的な「亜鈴」または「砂時計」形状を有している。この点において、本発明のプロテーゼは、従来公知の設計よりも、正常な機能をより忠実に近似していると考えられる。この砂時計形状はまた、円板内でプロテーゼを安定させ移動や突出を防止している。好適には、中間部の側壁の凹み（くびれ）を、前側、後側、横側の壁でそれぞれ異なるようになす。横壁の凹みは前壁の凹みより小さい。従って、前壁と後壁は曲げに際して横壁よりも変形する傾向を有する。これは脊椎は特定の脊椎分節において、横曲げよりも屈曲／伸展の方が広い運動範囲を持つからである。更に、線維輪の前壁は後壁よりもかなり厚いので、圧縮−屈曲に際してより多くの移動空間を必要とする。
【００５０】
本発明の髄核プロテーゼは、健康な組織の損傷を最小限とする外科的手法によるインプラントを可能にするように、好適に折り畳み可能である。椎間円板キャビティ内にインプラント後、このような折り畳み可能なプロテーゼに充填物質を注入して膨張させる。充填物質は例えば、液体や流体物質、流体状態の重合可能なあるいは硬化可能な物質、合成ヒアルロン酸、等である。充填剤は従来のいかなる手法により導入してもよい、即ち例えばシリンジおよびニードルその他のカニューレを用いて、あるいはプロテーゼの横壁に取り付けられ、プロテーゼの充填完了後にバルブ機構またはその場での生体材料シーリングによりシールされる１つ以上の延長チューブを介して導入してよい。好適な実施形態においてこのような延長チューブを用いる場合には、プロテーゼを更に安定化させるために、一対のそのようなチューブまたは同等のコードなどを、好適には片側に１つずつ、椎間円板の外部において固定する。
【００５１】
本発明の髄核プロテーゼは、これまで知られているプロテーゼに比べて、より様々な変性段階の椎間円板に対して、広く指示される。一般的にプロテーゼと終板の接触がある程度限られた面積で生ずる球形または卵形のプロテーゼと異なり、本発明の髄核プロテーゼは広い範囲の終板接触面積を許容し、様々な程度の椎間円板変性に適応する。
【００５２】
本発明の髄核プロテーゼを図２A乃至２Dおよび図３A乃至３Cに示す。
【００５３】
図２Aは髄核プロテーゼ２００の平面図である。図２Bは本発明の髄核プロテーゼ２００の正面立面図である。図２Cは髄核プロテーゼ２００の正面立面断面図である。図２Dは髄核プロテーゼ２００の左側立面図である。髄核プロテーゼ２００は頂部壁周縁部２０４を有する頂部壁即ち終板２０２と、底部壁周縁部２０８を有する底部壁即ち終板２０６と、頂部端壁周縁部２０４と底部端壁周縁部２０８との間に延在する側壁２１０とからなり、上に述べたような適切な、ほぼ非圧縮性の流体または粘弾性物質で満たされた内室２１２を封入している。頂部端壁２０２および底部端壁２０６は平面形状であり、それぞれ上位、下位の脊椎の椎間板との界面の天然の髄核の水平断面と同じ形状となっている。従って、頂部端壁２０２と底部端壁２０６の平面形状は、ある種の平坦ディスク形状であり、横方向（即ち左右方向）の寸法が前後方向の寸法（端壁の前縁２１６、２１８から後縁２２０、２２２までの寸法）よりも大きい。平面形状の後縁は、少なくとも近似的に、天然の髄核の断面に倣うように反っている。頂部端壁２０２および底部端壁２０６は典型的かつ好適には同形状、同サイズである。しかし特定の患者に適合させるために形状およびサイズをある程度異ならせることを排除するものではない。
【００５４】
髄核プロテーゼ２００の側壁２１０は砂時計または亜鈴形であり、これは少なくとも近似的に髄核の天然の形状を模倣しており、それによって天然の髄核の置換を提供する。天然の髄核の形状は例えば図４の椎間板造影画像に示されている。従って、上端部壁２０２と下端部壁２０６に隣接し取り付けられる側壁２１０の上位および下位部分は、それぞれ上壁２０２、下壁２０８の対応する寸法を近似する断面を有しており、他方で中間の腰部２２４は側壁２１０の上位および下位部の寸法よりも小さい断面寸法を有している。髄核プロテーゼの砂時計形状は線維輪の天然の形状と協働し、椎間円板の天然の髄核が与える支持と柔軟性の忠実な置換を提供する。
【００５５】
本発明の髄核プロテーゼ２００はほぼ非圧縮性の物質で製造されかつ充填され、従来の開放外科技法によりインプラントされるが、髄核を丸めるあるいは折り畳む（つぶす）ことにより空の状態にして、天然の髄核を取り除いて形成したキャビティ内にチューブを介して導入することが好ましい。導入後、髄核プロテーゼ２００を広げてカニューレを介して導入した流体物質で充填することによって膨張させる。この物質は、液体またはその場で重合して髄核プロテーゼの適切な充填剤を形成する重合可能な物質としてよい。
【００５６】
髄核プロテーゼ２００を椎間円板内の意図した位置で支持するために、椎間円板の外部の解剖学的構造に固定して円板を安定化させる１つ以上のコード即ち縫合線２２６、２２８を用いてもよい。コード２２６、２２８をしっかりと固定する点を与えるべく、側壁２１０の腰領域２２４に厚みを厚くした部分２３０を設けてもよい。
【００５７】
典型的には側壁２１０の横位置２３６のくびれは、側壁２１０の前方部２３８および後方部２４０のくびれよりも小さい。
【００５８】
髄核プロテーゼ２００は非圧縮性の流動性あるいは柔軟性を有する物質２１４で満たされる。これに適した充填剤の代表的なものとしては、生理食塩水、生体適合性オイル、合成ヒアルロン酸／プロテオグリカン混合物、柔軟な生体適合性合成ポリマーなどの液体物質がある。柔軟な固体物質は好適には０〜４Ｍｐａの弾性率とすべきである。特に柔軟な生体適合性合成ポリマーは０〜１Ｍｐａの好適な弾性率を有する。
【００５９】
図３Ａ乃至３Ｃは、椎間円板内の適所に設置された本発明の髄核プロテーゼ２００を示す。図３Ａは髄核２００を破線で示す斜視図であり、椎間円板の線維輪１１６内での位置を示している。図３Ｂ上位および下位の脊椎１００の間の椎間円板１１２内に位置する髄核２００の前面を一部断面で示す図である。各脊椎は脊椎縁部（骨端輪）１０４および椎体終板１０６を有する椎体１０２からなる。椎間板に最も近い脊椎端部は部分的に取り去って、椎体１００内部の海綿状骨１１０に裏打ちされた高密度な骨の薄い層１０８を有する構造を示している。各椎体終板１０６は薄い軟骨層１１２で覆われている。椎体終板１０６の凹状の湾曲はそれぞれの頂点１１４、即ち脊椎縁部１０４の縁のなす線から最も遠い点を有している。各椎体終板１０６の頂点１１４は、図２Ｂに示すように脊椎の両側部のほぼ中央にあり、図３Ｃに示すように一般的に脊椎縁部１０４の前縁１１６と後縁１１８との間の距離のおよそ６０％の位置にある。髄核プロテーゼ２００の端壁２０２、２０６はそれぞれの頂点２３２、２３４を有する。この頂点２３２、２３４は端壁２０２、２０６の周縁がなす線から最大距離の点として定義される。頂点は椎体終板１０６の対応する頂点１１４と接触する位置に配置される。
【００６０】
−総円板プロテーゼ−
本発明の総円板プロテーゼは、天然の椎間円板の線維輪および髄核の生体力学的特性、即ち運動、衝撃吸収、安定化等と類似の特性を有するエラストマコアを提供するために開発されたものである。このプロテーゼは天然の椎体終板の形態計測学的研究に基づく特定の形状および外形を有する人工椎体終板を組み込んでおり、かつエラストマ円板プロテーゼコアと人工終板との間で関節機能する構造および構成、そして椎骨と人工終板との界面での固定を行うための構造を組み込んでいる。
【００６１】
天然の椎体終板の形状および外形についての正確な情報を得るため、腰仙椎椎体終板の形態計測学的研究を新たに行った。
【００６２】
これまで腰仙椎椎体の正確な形状、外形、形についての情報は簡単に手に入る状況になかった。そのため、極めて信頼性の高い計測技法を用いて成人の腰椎椎体終板の形態計測学的研究を行った。非接触レーザーセンサ（ブリティッシュコロンビア州デルタ、LMI Technologies Inc.製のLMI DynaVision SPR-04レーザーセンサ）を用いてスキャンすることにより、椎体終板の外形を測定した。椎間円板で満たされた椎間空間に面して対向する椎体終板の典型的なスキャンデータを図５に示す。
【００６３】
この研究の結果は、人体の腰椎終板の形態計測学的特徴に関する新たな情報をもたらした。特に、この研究の方法は、従来の研究より更に進み、前後および左右の両方について終板の外形（輪郭）の極めて正確かつ連続的なトレースを行った。一般的に、椎体終板は椎体に向かって凹状に湾曲しており、下側終板の湾曲凹部は上側終板のものとは異なっている。脊椎腰仙部領域の測定結果、より詳しくは第３腰椎の下側終板（Ｌ３Ｌ）、第４および第５腰椎の上側および下側終板（Ｌ４Ｕ、Ｌ４Ｌ、Ｌ５Ｕ、Ｌ５Ｌ）、および第１仙椎の上側板の測定結果を表１に示す。
【表１】
2007530093.tif 000003
【００６４】
Ｌ３、Ｌ４、Ｌ５の下側椎体終板の湾曲の最大深さは、平均で１．８ｍｍであり、Ｌ４、Ｌ５の上側終板では平均０．９３ｍｍであった。湾曲の頂点は冠状面の中央、かつ前縁から後縁の平均で６０％の所に位置していた。
【００６５】
本発明の総円板プロテーゼは３つの部分からなる、即ち１つのポリマー円板コアと２つの椎体終板である。
【００６６】
ポリマー円板コアは３つの要素からなる、即ち１つのポリマー輪状部と２つの移行終板である。ポリマー輪状部は好適には生体適合性のポリマーの外壁を有する。この外壁は天然の線維輪の機能的置換品となるような形状および大きさである。即ち、ポリマーコアの横断面は概ね円板状であり、前後方向の寸法より横方向の寸法の方がある程度大きく、後方側においてある程度平坦になっている。外壁は天然の線維輪の径方向厚さをほぼ近似する径方向厚さを有する。以下により詳細に説明するように、外壁は天然の髄核を置換する物質で充填するための中心キャビティを取り囲む。
【００６７】
好適には、外壁は断面が「砂時計」または「亜鈴」状となる中心キャビティを与えるような形状とする。即ち、径方向の厚さが上下端面の間の中間において上下面に隣接する部分よりも大きくなるようにする。天然の髄核を置換する内部の「砂時計」形キャビティは流体、オイル、柔軟な生体材料または合成ヒアルロン酸で充填され、キャビティの壁は充填剤を「砂時計」形で閉じこめる。従って、人工輪（輪状部）の外壁は、健康な椎間円板の天然の線維輪が提供する生体力学的特性に見合う適切な厚さおよび剛性を有する。天然の髄核の「砂時計」形状を与える人工輪の中心キャビティは、ポリマーコアの体積の約２０〜５０％の大きさで、その弾性率（e-value）は０〜４Ｍｐａである。輪状部はポリマーコアの５０〜８０％を占め、その弾性率は３〜１６Ｍｐａである。「砂時計」形の各キャビティを満たす物質は輪状部と同じ種類の物質でもよいが、より柔軟なものとする。あるいは、別の種類の物質としてもよい。ポリマーコアの輪状部は上側および下側の移行ポリマー終板に固着され、これにより核キャビティが輪状部と終板とによって完全にシールされる。移行ポリマー終板はポリマー輪状部にモールドしてもよいし、または適切な生体適合性の接着剤によって接着してもよい。核キャビティの充填は移行ポリマー終板をポリマー輪状部に対してモールドあるいはシールする際に行ってもよいし、または移行終板をポリマー輪状部にシールした後にポートを用いて充填し、充填後に該ポートをシールしてもよい。
【００６８】
核キャビティを円筒形、卵形、円盤状とし、それを水溶液やオイル状物質、柔軟な合成または天然の生体材料、例えば合成ヒアルロン酸やポリマー輪状部に用いられているものとは異なる種類の柔軟な合成重合物質などで充填してもよい。
【００６９】
本発明の椎間円板プロテーゼの製造に際しては、硬い金属終板と円板プロテーゼのエラストマー状のポリマーコア部分との間に適切なインターフェイスを設ける必要がある。このインターフェイスは、１）金属終板と合成ポリマーコアとの間の大きな硬さの違いによるインターフェイスあるいはその近傍で生じうる応力集中の問題、および２）ポリマーコアの金属終板への接着／固定に関わる問題に対処しなければならない。
【００７０】
本発明では、硬い金属終板とより柔軟な合成ポリマーコアとの間に移行ポリマー板を用いる。
【００７１】
移行ポリマー板は硬い金属終板の硬度とより柔軟なポリマーコアの硬度の中間の硬度を有する。移行ポリマー板はポリマー輪状部に対してモールドするかあるいはしっかりと固定し、応力集中を生じさせずに応力を滑らかに移行させるようにする。好適には、移行ポリマー板に用いる物質は比較的硬いものとし（ショアＡ１００〜Ｄ６０）、これにより、金属終板への確実な機械的固定を可能とし、あるいは金属終板との間の接触面において、全臀および膝プロテーゼと同様に、自由な滑動を可能とする。
【００７２】
コアの頂部および底部ポリマー終板はコアの輪状部分よりも硬い物質からなり、かつドーム状の金属終板と接触するためのドーム形状を有する。移行終板は好適には、芳香族および／または脂肪族ポリカーボネイト熱可塑性物質−ポリウレタン混合物など、ポリマーコアの輪状部と同じ化学分類に属する物質からなるが、より硬いものとする（デュロメータ硬度１００Ａ〜６５Ｄ）。移行ポリマー板の後端部の厚さは１ｍｍ乃至３ｍｍであり、前側壁の厚さは４ｍｍ乃至７ｍｍである。好適には移行ポリマー板の合成ポリマー輪状部に面する内側面は平坦とする。移行ポリマー板の前縁と後縁の厚さの違いにより、金属終板は適切な前湾角度（lordotic angle）（５〜１５°）で配向される。金属終板は脊椎骨終板に向かって凸になっており、天然の椎体終板についての上記の形態計測学的研究の結果に基づいた、以下に述べる好適な寸法を有している。ポリマー終板、金属終板の横断面形状は共に円板状であり、それらの間の界面においてよく一致する対向面を有することが好ましい。
【００７３】
下側終板のドーム部湾曲の最大深さは平均で２ｍｍ（１．５〜２．５ｍｍ）であり、上側終板の同様の深さは平均で１．２ｍｍ（０．７〜１．５ｍｍ）である。好適には、最大深さの位置は、椎体終板の前縁と後縁の間で後方側６０％の位置にあり、左右側縁の間のほぼ中程にある。従って、ポリマーコアは概ね円板状の断面を有し、かつそれと組み合わせる金属終板の接触面ととほぼ一致する表面積を有する。上述したように、ポリマーコアの中心核キャビティを外科的インプラント前に膨張させても良いし、外科的インプラント後に膨張させてもよい。
【００７４】
新たな形態計測学的研究に基づいて、金属終板はそれが接触する椎体終板と最もよく一致する形状と外形を有するように好適に形成される。この金属終板の好適な特徴は以下の通りである。１）上位脊椎の下側椎体終板に面する上側終板は、冠状面（左右方向）の中線上かつ矢状面（前後方向）における前縁から後方に６０％の位置において、１．５ｍｍ乃至２．５ｍｍの最大湾曲深さを有し、椎体終板に適合する凸形状を有する。２）下位脊椎の上側椎体終板に面する下側終板は、冠状面の中線上かつ矢状面における前縁から後方に６０％の位置において、０．６ｍｍ乃至２．０ｍｍの最大湾曲深さを有し、椎体終板に適合する凸形状を有する。適合を最適化するために、天然の椎体円板を削り金属終板と一致させてより滑らかな接触面をあたえる。
【００７５】
金属終板の形状は天然の椎体終板と同様である。即ち、金属終板の湾曲部の平均サイズは短径（前後方向）がおよそ２．５ｃｍ（２．０〜３．０ｃｍ）、長径（左右方向）がおよそ３．０ｃｍ（２．５〜３．５ｃｍ）である。終板は個々の患者において、その接触面積、即ちプロテーゼの終板が接触する椎体終板の面積が椎体終板の断面積のおよそ３０〜１００％となるような大きさとする。好適には接触面積は椎体終板の断面積のおよそ３０〜８０％である。金属終板は好適にはその前縁の板中心線上に前後方向に配向されたほぼ垂直なフィンを有する。このフィンは椎骨の前側に形成されたくぼみに嵌合させて、金属終板の脊椎への固定を改善するものである。フィンにスロットを設け、それと係合する付加板の位置決め突起を受容するようにしてもよい。これは後に説明するように、付加板を位置決めするものである。
【００７６】
金属終板はＣｏ−Ｃｒ合金やチタン合金などの適切な強度を有する生体適合性の金属からなる。頂部および底部終板の椎骨に面する外面に多孔性のテクスチュアを設け、骨の内成長によって確実な固定を助長するようにする。
【００７７】
金属終板と移行ポリマー終板とは、互いに対して自由に滑動してもよい。移行ポリマーコア終板に滑らかで特別に硬化された面を設けてこのような滑らかな滑動を容易にするために、移行ポリマー板の金属接触面に従来のイオン化処理を施してもよい。
【００７８】
または、後に説明するように、ポリマーコア部の終板どうしを１つ以上の方法によって確実に固定してもよい。
【００７９】
各終板システム（金属終板およびそれと接触する移行ポリマー板）は２要素構造（金属終板および移行ポリマー板）としてもよいし、３要素構造（金属終板、１つの移行ポリマー終板および金属製前部付加板）としてもよい。
【００８０】
それぞれの構造（２要素構造または３要素構造）において、金属終板の後縁部に椎骨から遠ざかるように湾曲するほぼ垂直な壁を設け、移行ポリマー終板の後縁と係合させてもよい（例えば舌状部と溝として）。
【００８１】
後部に凹部を設けた別の実施形態では、金属終板と移行ポリマー終板のプロテーゼ後側４分の１乃至２分の１に「段カット」された嵌合部を設けてもよい。この実施形態では、移行プレートの後部の外側面上に、移行板の後縁から前方にその前後方向径の４分の１乃至２分の１の所に位置する段差から移行板の後縁まで延在する凹部（低くなった部分）を設ける。このように、凹部は移行板の前後径の４分の１乃至２分の１に渡って延在し、凹部の外側面は概ね、かつ好適に、移行板の内表面と平行になっている。段部は典型的には移行板の左縁から右縁まで延在する。段部は移行板の両側方向（横方向即ち冠状方向）の径にほぼ平行な直線状の段差としてもよいし、あるいは湾曲していてもよい、即ち移行板の前部に向かって凹または凸となっていてもよい。更に、段差部の面は凹部の外側面（および移行板の内側面）とほぼ垂直であってもよいし、前後方向に傾斜していてもよい。即ち、段差部を横方向から見ると、ベベルを設けたプロファイルまたはアンダーカットしたプロファイルとなるようにしてもよい。
【００８２】
後方に凹部を設けた実施形態では、一般に金属製のプロテーゼ終板は、移行板の外側面上の段差に対応しほぼ適合する内側に段差のついた肉厚後部を有する。好適には移行板の外側面の段部とプロテーゼ終板の内側面の段部とをアンダーカットし、移行板とプロテーゼ終板との間に積極的な機械的結合を与える。移行板とプロテーゼ終板の合致する横方向段部の与える積極的な機械的相互ロックは、両板間のねじり回転を最小化するあるいは防止する強力な規制をもたらす。更に、この実施形態では、プロテーゼ（金属）終板の後縁の湾曲フック延長部を設ける必要がなく、かつ移行板の後縁を輪状部の後縁よりも突出させる必要がない。従って、この構成は、椎間空間での位置決めに適したプロテーゼを提供し、金属終板の頂点が好適な位置、即ち脊椎の前後方向径において脊椎の前縁から後方に径の６０％の位置に位置決めされる。これは特に椎間円板の前後径の小さい患者にインプラントする場合に有用である。
【００８３】
２要素構造においては、金属終板は、移行ポリマー板の前部壁の２分の１または３分の１を覆う湾曲した垂直壁を有する。２要素構造においては、金属板の前部は金属終板の湾曲部よりも前側に延在し、かつ湾曲部と連続的（一体）である。この前部領域は椎体の稠密な周縁部に面する。前側延長部の概ね平坦な領域の平均前後寸法は約０．８ｃｍであるが、この寸法はゼロ（前側延長部なし）から約１．２ｃｍの間で変えてよい。前側延長部の平均的な幅はその後部で約３．０ｃｍであり、前方に向かってテーパーを付けられ椎体終板の前縁の輪郭と合致する。金属板と移行ポリマー板とは金属終板の前部垂直壁を移行ポリマー板の前壁に、例えば両側にそれぞれ１つずつとした１つ以上のネジによって留めることにより、互いに固定される。あるいは、後に説明するように、金属終板と移行ポリマー終板とを１本以上のワイヤあるいはケーブルにより締め付ける留め具によって締結してもよい。金属板および移行板の側部付属部に係合するネジにより付加的な固定を行ってもよい。
【００８４】
また別の実施形態では、金属終板および移行ポリマー終板を、金属終板の前縁および／または側縁においてバネ式留め具を用いたスナップ嵌合によって確実に係合させてもよい。これらのバネ式留め具はそれだけで用いてもよいし、ネジやケーブルによってバネ式留め具を締めてもよい。
【００８５】
３要素構造は、凸形状の金属終板（主金属終板）と、該主金属終板とは別の前側付加板とを含む。金属終板と椎骨との総接触面積は椎骨終板面の５０％乃至８０％である。ほぼ水平に延在する前側付加板は該前側付加板と垂直で椎骨から離れる方向に突出する湾曲壁を有する。この垂直壁はコアの移行ポリマー板の前部壁と合致するよう湾曲している。前側付加板はまたその中心線上に椎骨の方へ突出し、前後方向に延在する垂直フィンを有する。該垂直フィンは付加板の後縁よりも後側まで延在し、主金属終板の対応するフィンの嵌合ソケットに係合する。フィンの前後方向の全長は椎体の前後長のおよそ３分の１乃至２分の１である。水平前側付加板は、円板空間から骨内に向かうネジによりこの板を椎体終板に対して固定するためのネジ孔を、その中心線の両側にそれぞれ有する。前側付加板の湾曲した垂直壁はまた、前側板を移行ポリマー終板に固定するためのネジ孔を、例えばその中心線の両側にそれぞれ備えてもよい。移行ポリマー終板内に雌ネジをモールドにより設けてもよい。
【００８６】
総円板プロテーゼの３要素構造は、再手術が必要な場合に、そのコア部分を取り外して取り替えることができるようになっている。現在入手できる円板プロテーゼの１つの補修あるいは取り替えが必要になった場合、以前にインプラントしたプロテーゼのすべての要素を取り外すことは非常に難しい。現在の総円板プロテーゼのほとんどのすべての設計では、金属終板は該金属終板にロックされた即ち固定された媒介位置決め部材を用いて椎骨に固定される。このようなプロテーゼを取り外すには、プロテーゼを壊して金属終板を骨から取り外さなければならない。これはインプラントサイトにおいて修理するための備えがなされていないからである。明らかにこのような手術は困難であり、かつ更なる外傷を与える可能性がある。
【００８７】
前側付加板を移行ポリマー板および金属終板に固定するために、プロテーゼの両側に取り付けたフィンおよび／またはネジ・ワイヤ・ケーブル式のロック機構の係合を用いた、別のあるいは付加的な固定方法を用いてもよい。
【００８８】
本発明のプロテーゼの一実施形態では、金属終板、移行ポリマー板、前側付加板に側方延長ブロックを設ける。側方延長ブロックは円板プロテーゼの両側それぞれにネジまたはケーブルまたはワイヤ用の孔を有し、該孔は外科的手術時に終板およびコアの３円板を組み付けると整列する。ネジ、ワイヤ、ケーブルやセルフロック装置により、これら３つの要素を緊密に締結する。
【００８９】
この実施形態の設計において、移行ポリマー板とスナップ嵌合するための湾曲した翼部を金属終板の周縁に設けてもよく、かつ上述のように、この翼部を取り巻くワイヤあるいはケーブルにより更に締結してもよい。
【００９０】
総円板プロテーゼのこの実施形態では、金属終板を損なうことなくポリマーコアを取り去ることができる。コアを取り去るには、前側付加板を残りのドーム形金属終板から外すが、移行ポリマー終板に対しては上に述べたようにネジおよび／またはワイヤおよび／またはケーブルにより固定したままとする。別の方法としては、前側付加板をドーム形主金属終板から取り外すことにより、インプラントされた主金属終板を取り外すことなくポリマーコア要素を取り去るあるいは交換するためのアクセス窓をあけてもよい。新たなポリマーコアを挿入した後、上に述べたようにワイヤ、ケーブルまたはネジなどで前側付加板を再び取り付けることができる。従って、本発明の総円板プロテーゼのこの実施形態では円板プロテーゼを容易に修復することが可能となる。
【００９１】
本発明の総円板プロテーゼは、人工終板の形状および外形が天然の椎体終板に最高に適合するように一致していることにより、金属終板と椎体終板が極めてよく嵌合するので、均一な応力伝達および長期に渡る装置の生体内での安定性をもたらす。
【００９２】
総円板プロテーゼの実施例を図６乃至１６に示す。
【００９３】
総円板プロテーゼの図示実施例は円板コア４００、上側および下側移行板４０６および４０８、金属終板５０２および５０４を有する。円板コア４００は核キャビティ４０４を取り巻くポリマー輪状部４０２を有する。ポリマー輪状部４０２は健康な天然線維輪の断面と概ね類似した断面を有する。その各寸法は特定患者の天然の線維輪を置換するように設計される。従って、ポリマー輪状部４０２の横寸法は約２．５ｃｍ〜約４．０ｃｍの範囲であり、前後寸法は約１．４ｃｍ〜３．０ｃｍである。ポリマー輪状部４０２の厚さは、インプラントしたときに総円板プロテーゼの全体の厚みが、被施術者の天然の椎間円板が変性する前における椎間空間とほぼ等しい椎間空間を提供するように、あるいは少なくとも天然の椎間円板の変性によって生じた症状を軽減するように選定する。典型的にはポリマー輪状部４０２の上面から下面までの厚さは約０．４ｃｍ〜約１．２ｃｍである。ポリマー輪状部４０２の中心の核キャビティ４０４の横断面は健康な天然髄核の断面と概ね同じである。核キャビティ４０４は生体適合性の非圧縮性の物質４１０でみたされる。該物質は生体適合性のオイルや柔軟な生体適合性のポリマーなどとすることができる。中心キャビティはポリマーコア４００の体積の約２０％〜８０％を占め、上側および下側の移行板４０６および４０８との接触領域４１２および４１４は平坦で、その中心は移行板４０６および４０８の前後端４１６および４１８の中程にあり、かつ移行板４０６および４０８の横方向端４２０および４２２の中程にある。核キャビティ４０４の上下端の断面は円板形状である。核キャビティ４００の腰部領域４２４の横断面は、核キャビティ４００の上下端の横断面のおよそ３０％乃至８０％である。核キャビティ４０４は移行板４０６および４０８によってシールされ、該移行板はポリマー輪状部４０２の上面および下面４２６、４２８に対して、モールドにより、あるいは適当な生体適合性接着剤によりシールされる。
【００９４】
図１６に示す別の実施例として、核キャビティ４０４Ａは概ね垂直な壁を有し、円板状断面のほぼ円筒形のキャビティを形成し、上端と下端の間の中間部がはっきりとしたくびれ形を持たないように構成してもよい。
【００９５】
核キャビティ４０４を生体適合性オイルまたは柔軟なあるいは液体のポリマー物質で満たしてもよい。このポリマー物質は輪状部４０２を形成するポリマーと同じ類の化学組成であってもよいし、あるいは化学的に異なる物質であってもよい。例えば、輪状部がＡ７０〜Ａ９０のデュロメータ硬度を有するポリカーボネイト−ポリウレタン混合物である場合、核キャビティの充填に用いることのできる、デュロメータ硬度がＡ７０以下の柔軟性を有する商業的に入手可能な共重合体は存在しない。従って、このような輪状部４０２に対してはデュロメータ硬度がＡ７０未満の化学的に異なる種類のポリマー、例えばシリコーンベースのポリマーを用いて核キャビティを充填しなければならない。
【００９６】
ポリマー輪状部４０２は好適にはデュロメータ硬度Ａ７０〜Ａ９０の生体適合性ポリマーで形成する。ポリマー輪状部４０２の形成に好適なポリマーは、生体適合性のポリカーボネイト・ポリウレタン配合物である。ポリマー輪状部４０２の外縁は円板状であり、また内壁は核キャビティ４０４を画成する。好適には核キャビティ４０４は砂時計または亜鈴形状とする。ポリマー輪状部の体積はポリマーコア全体の体積のおよそ２０％乃至８０％であり、これはポリマー輪状部の硬さおよび核キャビティ４０４を満たす物質の硬さによって変わる。ポリマーコア４００の総体積のおよそ２０％乃至５０％の体積で非圧縮性の流体で満たした核キャビティ４０４を有するようポリマーコア４００を構成し、ポリマー輪状部４０２の体積をポリマーコア４００の総体積のおよそ５０％乃至８０％としてその弾性率をおよそ３〜１６Ｍｐａとすると、圧縮、圧縮曲げおよびねじりについての生体力学的特性が、脊椎の腰仙部の天然椎間円板と概ね同等のものとなる。（なお、流体物質は弾性率を持たない。）ポリマーコア４００の総体積のおよそ２０％乃至５０％の体積で、弾性率１〜４Ｍｐａの柔軟なポリマーで満たした核キャビティ４０４を有するようポリマーコア４００を構成し、ポリマー輪状部４０２の体積をポリマーコア４００の総体積のおよそ５０％乃至８０％としてその弾性率をおよそ４〜１６Ｍｐａとすると、流体で満たされたコアを有する線維輪の生体力学的特性を与える。一般的に、非圧縮性の流体で満たした中心キャビティ４０４を有するポリマーコア４００の方が、ポリマー輪状部より柔軟な（弾性率の低い）ポリマーで満たした中心キャビティを有するポリマーコアよりも優れた滑り特性（creep behavior）を有する。従ってそのようなポリマーコア４００は好適な実施例となる。
【００９７】
移行終板４０６および４０８は、好適にはデュロメータ硬度がＡ１００〜Ｄ７０の範囲にあるポリカーボネイト・ポリウレタン配合物などの比較的硬い生体適合性ポリマーで形成し、ポリマー輪状部４０２にモールド可能なものとする。ポリマー終板４０６および４０８は、ポリマー輪状部４０２とほぼ同じディスク状の横断面形状であるが、輪状部４０２の後縁４３０をこえて延在する後側舌状延長部４３２および４３４を有する。
【００９８】
移行板の外側面４３６および４３８、即ち椎骨に面する面は終板５０２、５０４に向かって凸となっている。移行板４０６および４０８のポリマー輪状部４０２に面した内側面４４０、４４２はほぼ平坦でポリマー輪状部４０２の平坦な上面および下面に適合し、かつモールディングや接着などの従来手法によってポリマー輪状部の表面にシールされる。好適には移行板４０６、４０８の内側面４４０、４４２はポリマー輪状部の上面および下面４２６、４２８にモールドする。
【００９９】
移行終板４０６、４０８の一方または両方において、輪状に隆起させた突起４４４（図１６に断面で示されている）をポリマー輪状部４０２に面する面上に設けてもよい。この突起４４４はポリマー輪状部の上面および／または下面においてポリマー輪状部の内壁に勘合して、ポリマー輪状部４０２と移行板４０６、４０８を整列させ、またより強力および／またはより確実なシールを形成する。このような突起により、輪状部と移行板との間のインターフェイスが、特にねじりおよび剪断に関して安定なものとなる。
【０１００】
移行終板の後側部分は相対的に薄くなっており、厚さが１〜３ｍｍの範囲であるのに対し、移行終板の前側部分はある程度厚く、４〜７ｍｍの厚さである。移行終板４０６、４０８の前縁４１６と後縁４１８のこのような厚さの違いにより、（例えば図１１からわかるように）円板プロテーゼの前湾角度（lordotic angle）４４８を個々の患者に合わせて変えることができる。
【０１０１】
円板プロテーゼの終板５０２および５０４は適切な強靱かつ生体適合性の物質からなる。終板は好適にはチタン、ステンレススチール、Ｃｒ−Ｃｏ合金などの金属製である。典型的には終板の厚さは一様である。本発明の円板プロテーゼの上側および下側金属終板５０２、５０４は椎骨に向かって凸となっている。凸形状の最大深部（頂点５１６）位置は冠状面（左右）内で終板の側縁の中線上、かつ矢状面（前後）内で終板の前縁から後方に６０％の位置にある。凸形状の高さは典型的には、上側終板５０２でおよそ１．５ｍｍ〜２．５ｍｍ、下側終板でおよそ０．６ｍｍ〜２．０ｍｍである。
【０１０２】
各終板の内側面５１４は、隣接する移行終板の外側面と滑らかに接するように、高度に研磨することが好ましい。各終板の外側面５１２には、骨の内成長のために多孔性のテクスチュアを設けることが好ましい。
【０１０３】
各終板の後縁５０８には、移行板に向かって曲げられ、あるいは移行板に向かって延在し、ポリマー輪状部４０２の後縁４１８を越えて延在する移行板の後縁を「舌状部と溝」式係合により受容する溝を形成する延長部５２２が設けられている。
【０１０４】
金属終板５０２、５０４の一方または両方の前側の中線位置には椎骨に向かって延在するフィン５１８が設けられている。このフィン５１８は椎体終板の前側の中線位置において椎骨に形成した切り込み即ち凹部に係合する。各主金属終板５０２、５０４のフィン５１８は二重壁になっており、後述するように前側付加板６０２の係合フィン６１２を受容するスロット５２０を形成している。
【０１０５】
各前側水平付加延長板６０２は、好適には同一の物質、例えば主金属終板と同様に金属などで作られ、ほぼ同一の厚さを有する。各水平付加板の後縁６０６は主金属板の前縁５０６の水平曲率と一致する。付加板の前縁６０４もまた湾曲しており、プロテーゼの中心線において前後方向深さを与える。従って、水平付加板６０２の前後寸法は中心線において最大となり、各側で前縁６０４から横後方縁６０６に向かってテーパが付いている。各水平付加板は、隣接する脊椎とは反対側に、付加板６０２の湾曲した後縁６０６に沿って延在する湾曲した垂直板６１０を有する。湾曲した垂直板６１０は移行板４０６、４０８の前縁４１６の湾曲および厚さに適合する。移行板４０６、４０８の前縁４１６にねじ入れる、あるいは移行板の前縁に設けたネジ孔に螺合させるネジ用の孔を、湾曲垂直板６１０に設けてもよい。典型的には湾曲垂直板６１０のそれぞれに、中心線の各側に配置した２つのネジ孔６２０を設ける。
【０１０６】
図示の実施例では、終板５０２とそれに対応する付加板６０２、および隣接する移行板４０６は、それらの側縁に設けられ、これら板を組み付けると整列して固定ネジ５２６を受容するようになるスリーブを有する。
【０１０７】
別の方法としては、ネジスリーブとネジを用いる代わりに、図１８および詳細図１９に示すように、Ｔ字形末端部５３０または、それと同等の構造を有するワイヤあるいはケーブル５２８をスロット付きスリーブ５２６、４４８および６２２に通し、参照符号５３２で図式的に示すような従来の締め具を用いて、ねじるなどの従来の手法で締結することによって、終板５０２、移行板４０６および付加板６０２を互いに固定してもよい。
【０１０８】
また、移行板４０６、４０８の前壁に設けたくぼみにスナップ式に嵌る可撓性あるいはバネ式の付属部（図示せず）を水平付加板６０２の湾曲垂直板６１０に設けてもよい。
【０１０９】
また別の実施形態では、主金属終板を一体構造として、移行板の後縁を受容する溝を有する後側延長部を設け、かつ移行板の前縁および／または側縁の対応するくぼみおよび／または溝とスナップ係合する可撓性あるいは弾性の付属部をその前縁および側縁の選定した箇所に設けてもよい。
【０１１０】
移行板が金属終板にスナップ留めされる実施形態では、スナップ係合付属部に締結ケーブルを受容するスロットを設けて、更に固定してもよい。この締結ケーブルは、該ケーブルの各端部をスナップ係合付属部のスロット内で固定するための、ケーブルに垂直に延在する端止め構造を有する。ケーブルを付属部のスロット内に設置し、結ぶ、ねじる、クリンプする等により、またはその他の従来のセルフロック機構を典型的には総円板プロテーゼの略前側部に設けることにより締結する。
【０１１１】
また別の方法として、あるいは上記に加えて、金属終板とそれに対応する移行板と前側付加板とを、ネジで締結する側方付属部を用いて互いに固定してもよい。このような実施形態では終板と移行板と付加板とが正しく整列すると、例えば組み付けネジを受容する貫通孔やネジの端部の螺条を受容するネジ孔を有するスリーブなどの付属部が一線に並ぶようになっており、そこで組み付けネジを挿入して締め付けることによりこれら板を堅固に固定する。スリーブは、例えば金属終板および移行板の前横部分と付加板の後横隅に設け、かつ、これら板を適切に組み付けるとネジ孔が整列するような方向と位置に設ける。また、このようなスリーブあるいは類似の付属部にスロットを設け、上に説明したようにワイヤやケーブルを通して固定できるようにしてもよい。
【０１１２】
「段カット」した後部を用いた移行板−終板構造の別の実施例７００を図２０乃至図３０に示す。この実施例では、前縁８５６、後縁８５８、側縁８６０を有する移行板８５０（図２０〜図２３）に、側縁８６０間に延在する段部８６２を設けている。段部８６２は図２１に示すようなアンダーカットとしてよい。外表面の窪んだ後部８６４は段部８６４から移行板８５０の後縁８５８まで延在する。以下に説明するように、側壁８６６は外側終板７０２のスナップ式付属部７２２を受容するための周辺溝８６８を有する。
【０１１３】
移行板８５０に締結される終板７０２は前縁７０６、後縁７０８、側縁７１０を有する。終板７０２の外側面７１２は、例えば多孔性の骨内成長のためのテクスチュアを設けた表面とし、椎体終板への良好な固定を確実なものとする。内側面７１４には移行板８５０の対応する段部８６２と係合する段部７１８が設けられている。ほぼ平坦な後方面７２０は移行板８５０の平坦な後方面８６４と接する。段部７１８に図示のような逆傾斜ベベルを設け、移行板８５０の対応する逆傾斜のついた段部８６２と係合するようにする。スナップ式付属部７２２は移行板８５０の周辺溝８６８に勘合し、終板７０２を移行板８５０に締結する。付属部７２２に締め付け可能なケーブルを受容するスロット７２６を設けて、図１８および図１９に示した実施例のように、付加的な固定を与える。この終板７０２と移行板８５０とからなるアセンブリ７００を、例えば図１７および１８に示す同様のアセンブリの代わりに用いて、図示の前円板プロテーゼの上部および下部を構成することもできる。
【０１１４】
本発明をいくつかの実施形態によって説明したが、当業者には明らかであろうように、本発明の思想あるいは必須の特徴を逸脱することなく、多くの変形や変更が可能である。本発明はそのような変形を取り入れたすべての実施形態を含むものである。従って、ここになされた開示は例示のためのものであり、添付の請求の範囲に記載する本発明の範囲を限定するものではなく、本発明は均等の効力および範囲に含まれるすべての変形を含むものとする。
【図面の簡単な説明】
【０１１５】
【図１Ａ】一対の正常な人体脊椎を、断面で示された椎間円板と共に図式的に示す図であり、脊椎が通常の位置にある状態を示す。
【図１Ｂ】図１Ａの椎間円板のある程度拡大した断面図である。
【図１Ｃ】図１Ａと同様な図であり、脊柱が屈曲した状態の構造を示す図である。
【図１Ｄ】図１Ａと同様な図であり、脊柱が伸展した状態の構造を示す図である。
【図２Ａ】本発明の髄核プロテーゼの平面図である。
【図２Ｂ】本発明の髄核プロテーゼの正面立面図である。
【図２Ｃ】本発明の髄核プロテーゼの正面立面断面図である。
【図２Ｄ】本発明の髄核プロテーゼの左横立面図である。
【図３Ａ】天然の線維輪内にインプラントされた本発明の髄核プロテーゼを破線にて示す斜視図である。
【図３Ｂ】椎間円板の線維輪内適所置かれた髄核プロテーゼの前側立面断面図である。
【図３Ｃ】椎間円板の線維輪内適所置かれた髄核プロテーゼの左側面を一部は断面図で示す立面図である。
【図４】２つの脊椎間に位置する正常な人体椎間円板のＸ線像を示す椎間板造影画像であり、造影剤の注入により線維輪を可視化している。
【図５】隣接する脊椎の椎体終板のスキャンプロファイルを示すグラフである。
【図６】本発明の総椎間円板プロテーゼに用いる金属終板の平面図である。
【図７】図６の金属終板と共に用いる前側付加板の平面図である。
【図８】図６の金属終板の前側立面図である。
【図９】本発明の総円板プロテーゼの図６および図７の線９−９に沿った分解断面図である。
【図１０】組み付けられた状態の図９の総円板プロテーゼを示す断面図である。
【図１１】２つの脊椎間にインプラントされた本発明の総プロテーゼの一実施形態を示す側面断面図である。
【図１２】図６の総円板プロテーゼのコア部分を示す平面図である。
【図１３】図６の総円板プロテーゼのコア部分を図１２の線１３−１３において示す正面立面図である。
【図１４】図１２のコア部分を図１２の線１４−１４に沿った正面立面断面図である。
【図１５】図１３のコア部分のポリマー輪状部を図１３の線１５−１５において示す平面図である。
【図１６】図６乃至１５に示す総円板プロテーゼの変形例を示す側面断面図である。
【図１７】図６乃至１５に示す総円板プロテーゼを組み付けた状態で示す横立面図である。
【図１８】要素どうしを締結する締め付けケーブルを用いた、図１７の総円板プロテーゼの変形例をしめす横立面図である。
【図１９】図１８の総円板プロテーゼのケーブル締結構造の詳細図である。
【図２０】本発明の別の実施形態で用いる移行板の平面図である。
【図２１】図２０の移行板の左横立面図である。
【図２２】図２０の移行板の正面立面図である。
【図２３】図２０の移行板の底面図である。
【図２４】図２０の移行板と共に用いる終板の平面図である。
【図２５】図２４の終板の左横立面図である。
【図２６】図２４の終板の図２４の線２５−２５に沿った左横立面断面図である。
【図２７】図２４の終板の正面立面図である。
【図２８】図２４の終板の底面図である。
【図２９】図２０の移行板と図２４の終板からなるアセンブリの正面立面図である。
【図３０】図２９のアセンブリの左横立面図である。
【図１Ａ】
2007530093.tif 000004
【図１Ｂ】
2007530093.tif 000005
【図１Ｃ】
2007530093.tif 000006
【図１Ｄ】
2007530093.tif 000007
【図２Ａ】
2007530093.tif 000008
【図２Ｂ】
2007530093.tif 000009
【図２Ｃ】
2007530093.tif 000010
【図２Ｄ】
2007530093.tif 000011
【図３Ａ】
2007530093.tif 000012
【図３Ｂ】
2007530093.tif 000013
【図３Ｃ】
2007530093.tif 000014
【図４】
2007530093.tif 000015
【図５】
2007530093.tif 000016
【図６】
2007530093.tif 000017
【図７】
2007530093.tif 000018
【図８】
2007530093.tif 000019
【図９】
2007530093.tif 000020
【図１０】
2007530093.tif 000021
【図１１】
2007530093.tif 000022
【図１２】
2007530093.tif 000023
【図１３】
2007530093.tif 000024
【図１４】
2007530093.tif 000025
【図１５】
2007530093.tif 000026
【図１６】
2007530093.tif 000027
【図１７】
2007530093.tif 000028
【図１８】
2007530093.tif 000029
【図１９】
2007530093.tif 000030
【図２０】
2007530093.tif 000031
【図２１】
2007530093.tif 000032
【図２２】
2007530093.tif 000033
【図２３】
2007530093.tif 000034
【図２４】
2007530093.tif 000035
【図２５】
2007530093.tif 000036
【図２６】
2007530093.tif 000037
【図２７】
2007530093.tif 000038
【図２８】
2007530093.tif 000039
【図２９】
2007530093.tif 000040
【図３０】
2007530093.tif 000041
【国際調査報告】
2007530093.tif 000042